(57)【要約】      （修正有）【課題】ＬＡＮケーブルのような小電流のみ流すことができる配線において、呼出時に大電流を使用して呼出表示を行なうインターホンシステムを構築する。【解決手段】ベッド子機からの呼出操作に応じてナースコール親機に呼出信号を送出し、廊下灯が呼出表示を行なうナースコール用インターホンシステムにおいて、幹線は、制御装置を端点として複数の廊下灯を渡り配線で接続する配線形態であり、廊下灯は、幹線を介して制御装置から電源となる電流を蓄電し、呼出表示を行なう際には幹線からの電流では不足する電流を放電するスーパーキャパシタを備えることにより、呼出時の電流を軽減して配線を簡素化する。【選択図】図１
2011029968.tif 000002
【特許請求の範囲】
【請求項１】
病床の壁面に設置したベッド子機（２ａ、２ｂ、２ｃ、・・・）と、前記複数のベッド子機がそれぞれ伝送線（Ｌ１）を介して接続される廊下灯（３）と、前記複数の廊下灯が幹線（Ｌ２）を介して接続されたナースコール親機（１）を備え、前記ベッド子機からの呼出操作に応じて、前記廊下灯を介して前記ナースコール親機に呼出信号を送出し、前記ナースコール親機及び前記廊下灯が呼出表示を行なうナースコール用インターホンシステムにおいて、
前記幹線は、ＬＡＮケーブル等の小信号伝送電線であって、インターホンシステム全体の通話路を制御する制御装置（７）を端点として複数の廊下灯を渡り配線で接続する配線形態であり、
前記廊下灯は、前記幹線を介して前記制御装置から電源となる電流を蓄電し、呼出表示を行なう際には前記幹線からの電流では不足する電流を放電するスーパーキャパシタ等の大容量蓄電部（３１）を備えたことを特徴とするインターホンシステム。
【請求項２】
居室に設置した居室親機（１０３）と、前記複数の居室親機が幹線（Ｌ１０２）を介して接続された集合玄関機（１０１）を備え、集合玄関機からの呼出操作に応じて、前記居室親機に呼出信号を送出し、前記居室親機が呼出表示を行なう集合住宅用インターホンシステムにおいて、
前記幹線は、ＬＡＮケーブル等の小信号伝送電線であって、インターホンシステム全体の通話路を制御する制御装置（１０７）を端点として複数の居室親機をバス配線で接続する配線形態であり、
前記居室親機は、前記幹線を介して前記制御装置から電源となる電流を蓄電し、呼出表示を行なう際には前記幹線からの電流では不足する電流を放電するスーパーキャパシタ等の大容量蓄電部（１０３１）を備えたことを特徴とするインターホンシステム。
【請求項３】
前記廊下灯または前記居室親機は、前記大容量蓄電部の電圧を監視して、前記大容量蓄電部の電圧が第１の閾値を超えて低下した際には電圧低下情報を近隣の廊下灯または居室親機に送出するとともに、近隣の廊下灯または居室親機の大容量蓄電部の電圧低下情報を受信した際に自己の前記大容量蓄電部を放電して前記幹線に電流を流す制御部（３２、１０３２）を備えたことを特徴とする請求項１または請求項２記載のインターホンシステム。
【請求項４】
前記廊下灯または前記居室親機は、前記大容量蓄電部の電圧を監視して、前記大容量蓄電部の電圧が第２の閾値を超えて低下した際には、呼出表示の表示方法を可変して消費電流を低減する表示部（３３、１０３３）を備えたことを特徴とする請求項１または請求項２記載のインターホンシステム。
【請求項５】
前記廊下灯または前記居室親機は、前記大容量蓄電部の電圧を監視して、前記大容量蓄電部の電圧が一定時間にわたり第３の閾値を超えて低下した際には、前記制御装置に対して大電流を緊急に融通要請する制御部（３２、１０３２）を備えたことを特徴とする請求項１または請求項２記載のインターホンシステム。
【請求項６】
前記廊下灯または前記居室親機は、太陽電池等の充電装置（３４、１０３４）を備えたことを特徴とする請求項１または請求項２記載のインターホンシステム。
【発明の詳細な説明】
【技術分野】
【０００１】
本発明はナースコール用、及び集合住宅用インターホンシステムに係り、特に、ＬＡＮケーブルのみで廊下灯を渡り配線で構築するナースコール用インターホンシステム、及びＬＡＮケーブルのみでインターホン親機をバス配線で構築する集合住宅用インターホンシステムに関する。
【背景技術】
【０００２】
従来から、この種のインターホンシステムとして、特許文献１の図２に示すような、通信線と電源線を別々に配線されたインターホンシステムがあった。
【先行技術文献】
【特許文献】
【０００３】
【特許文献１】特開２００７−１５０７０３号公報
【発明の開示】
【発明が解決しようとする課題】
【０００４】
しかしながら、従来例のインターホンシステムにおいて、動作時に大電流を制御装置から供給していたため、電圧降下の防止のために充分に線径の太い電源線を使用する必要があり、配線が繁雑となるとともに電力損失による消費電力の増大が問題となっていた。
本発明は、上述の難点を解消するためになされたもので、廊下灯、あるいは居室親機にスーパーキャパシタ等の大容量蓄電部を備えて待受け時に蓄電することにより、小径の電線のみで電源伝送を可能として施工性、利便性を改善したものである。
【課題を解決するための手段】
【０００５】
上述の目的を達成するため、本発明のナースコール用インターホンシステムは、病床の壁面に設置したベッド子機と、複数のベッド子機がそれぞれ伝送線を介して接続される廊下灯と、複数の廊下灯が幹線を介して接続されたナースコール親機を備え、ベッド子機からの呼出操作に応じて、廊下灯を介してナースコール親機に呼出信号を送出し、ナースコール親機及び廊下灯が呼出表示を行なうナースコール用インターホンシステムにおいて、幹線は、ＬＡＮケーブル等の複数対の電線であって、制御装置を端点として複数の廊下灯を渡り配線で接続する配線形態であり、廊下灯は、幹線を介してナースコール親機から電源となる電流を蓄電し、呼出表示を行なう際には幹線からの電流では不足する電流を放電するスーパーキャパシタ等の大容量蓄電部を備えたものである。
【０００６】
また、本発明の集合住宅用インターホンシステムは、居室に設置した居室親機と、複数の居室親機が幹線を介して接続された集合玄関機を備え、集合玄関機からの呼出操作に応じて、居室親機に呼出信号を送出し、居室親機が呼出表示を行なう集合住宅用インターホンシステムにおいて、幹線は、ＬＡＮケーブル等の小信号伝送電線であって、インターホンシステム全体の通話路を制御する制御装置を端点として複数の居室親機をバス配線で接続する配線形態であり、居室親機は、幹線を介して制御装置から電源となる電流を蓄電し、呼出表示を行なう際には幹線からの電流では不足する電流を放電するスーパーキャパシタ等の大容量蓄電部を備えたものである。
【０００７】
また、廊下灯または居室親機は、大容量蓄電部の電圧を監視して、大容量蓄電部の電圧が第１の閾値を超えて低下した際には電圧低下情報を近隣の廊下灯または居室親機に送出するとともに、近隣の廊下灯または居室親機の大容量蓄電部の電圧低下情報を受信した際に自己の大容量蓄電部を放電して幹線に電流を流す制御部を備えたものである。
また、廊下灯または居室親機は、大容量蓄電部の電圧が第２の閾値を超えて低下した際には電圧低下を知らせるとともに、呼出表示の表示方法を可変して消費電流を低減する表示部を備えたものである。
また、廊下灯または居室親機は、太陽電池等の充電装置を備えたものである。
【発明の効果】
【０００８】
請求項１のナースコール用インターホンシステムによれば、制御装置は待受時に廊下灯に対して小電力で充電を行なうことにより電力ロスを低減するとともに、呼出時にはスーパーキャパシタによって電流を確保して動作するとともに、廊下灯の配線はＬＡＮケーブルのみであることから施工性、メンテナンス性が向上する。
請求項２の集合住宅用インターホンシステムによれば、制御装置は待受時に居室親機に対して小電力で充電を行なうことにより電力ロスを低減するとともに、呼出時にはスーパーキャパシタによって電流を確保して動作するとともに、居室親機への配線はＬＡＮケーブルのみであることから施工性、メンテナンス性が向上する。
請求項３のインターホンシステムによれば、廊下灯は電圧低下時に近隣の廊下灯から電流を調達することができ、スーパーキャパシタの電圧降下時も電流伝送距離を短くすることができ、電力ロスを極力低減することができる。
請求項４のナースコール用インターホンシステムによれば、廊下灯は電圧低下時に表示灯の点灯時間を短くし、消灯時間を長くする等の方法により電流を節減するため、電圧降下防止とともに、電圧低下していることを表示灯を見ている看護師が把握することもできる。
請求項５のインターホンシステムによれば、廊下灯は電圧低下時に一定時間電流を調達することができない場合に、制御装置から大電流を調達することにより、緊急時には電力ロスを犠牲にしながらも、信頼性を向上することができる。
請求項６のナースコール用インターホンシステムによれば、廊下灯の太陽電池によって充電が可能となり、スーパーキャパシタの充電を早めることが可能となる。
【発明を実施するための最良の形態】
【０００９】
【実施例１】
【００１０】
以下、本発明のナースコール用インターホンシステムを適用した好ましい形態の実施例について、図面を参照して説明する。
図１は、本発明の第１の実施例によるナースコール用インターホンシステムのシステム構成図である。
図１に示すナースコール用インターホンシステムは、ナースステーションに設置されたナースコール親機１と、患者が病床で使用するベッド子機２ａ、２ｂ、２ｃ、・・・が病室の壁面に設置した廊下灯３、３、・・・、病床の壁面に設置したプレート４、４、・・・を介して接続されている。
【００１１】
１台のプレート４には１つのベッド子機２（２ａ、２ｂ、２ｃ、・・・）が接続され、プレート４には図示しないマイク、スピーカが内蔵されている。１台の廊下灯３には伝送線Ｌ１によって１台乃至複数（２〜６台）のプレート４が接続され、ナースコール用インターホンシステムの動作を制御する制御装置７にはＬＡＮケーブルである廊下灯幹線Ｌ２によって複数（２〜６０台）の廊下灯３が渡り配線で接続されている。
ナースステーションに設置されたナースコール親機１は、ナースコール親機幹線Ｌ３により制御装置７に接続されている。
廊下灯３の電源は、制御装置７から廊下灯幹線Ｌ２を介して供給されているが、廊下灯幹線Ｌ２はＬＡＮケーブルであるため、大電流を流すと線路抵抗により電圧降下が発生するため、ナースコール親機１は電圧降下の影響の少ない小電流を待受け時に流し、廊下灯３は当該小電流を蓄電するためのスーパーキャパシタ３１を備えている。
また、廊下灯３には呼出時に点滅して近隣の看護師等に呼出を通知する表示灯３３と、スーパーキャパシタ３１への蓄電を補助する太陽電池３４と、廊下灯３の各部を制御する制御部３２を備えている。
このようなナースコール用インターホンシステムで、以下、動作を説明する。
待受時には、ナースコール親機１から廊下灯幹線Ｌ２を経由して受電する電流、及び太陽電池３４からの電流により、スーパーキャパシタ３１へ蓄電を行なう。
【００１２】
ベッド子機２ａが備えられているベッドの患者がナースステーションのナースコール親機１を呼び出す時、プレート４に接続されたベッド子機２ａで呼出操作を行なう。廊下灯３はプレート４を介してベッド子機２ａからの呼出信号を受信し、廊下灯幹線Ｌ２、制御装置７を介してナースコール親機１に呼出を通知する。
制御装置７は呼出信号を受信すると、ナースコール親機１に呼出信号を送出するとともに、当該ベッド子機２ａの接続された廊下灯３に対して表示灯３３を点滅させるよう指示する。廊下灯３の制御部３２は、制御装置７及び太陽電池３４からの電流だけでは表示灯を点滅できるだけの電流が確保できないため、当該点滅指示に対して表示灯３３を点滅させるための電流をスーパーキャパシタ３１から放電させて表示灯３３に供給する。
【００１３】
また、呼出に看護師が応答せず、表示灯３３が長時間点滅を行なうことによってスーパーキャパシタ３１の電圧が第１の閾値を下まわって低下した場合には、制御部３２は、近隣の他の廊下灯３に対して電圧低下通知を行なう。
近隣の廊下灯３の制御部３２は、当該電圧低下通知に基づき自己のスーパーキャパシタ３１を放電させて電圧が低下した廊下灯３に供給する。
また、さらに表示灯３３が長時間点滅を行なうことによってスーパーキャパシタ３１の電圧が第２の閾値を下まわって低下した場合には、制御部３２は、点滅している表示灯３３の点灯時間を短く、消灯時間を長くして消費電力を低減させることにより、電圧降下を緩やかにするとともに、廊下灯３付近にいる看護師に電圧降下を通知することができる。
【００１４】
また、さらに表示灯３３が長時間点滅を行なうことによってスーパーキャパシタ３１の電圧が一定時間にわたり第３の閾値を下まわって低下した場合には、制御部３２は、制御装置７に対して電流を供給するよう要求信号を送出する。要求信号を受信した制御装置７は、廊下灯３に対して直接駆動電流の供給を行なう。この際には廊下灯幹線Ｌ２に大電流が流れ、大幅な電力損失が発生するが、廊下灯３の動作を保証することができ、信頼性を向上させることができる。
【実施例２】
【００１５】
他の実施例として、集合住宅用インターホンシステムを適用した好ましい形態の実施例について図面を参照して説明する。
図２は、本発明の第２の実施例による集合住宅用インターホンシステムのシステム構成図である。
図２に示す集合住宅集合住宅用インターホンシステムは、集合住宅の玄関に設置された集合玄関機１０１と、集合玄関の各居室内に設置された居室親機１０３、１０３、・・・が接続されている。
集合住宅用インターホンシステムの動作を制御する制御装置１０７にはＬＡＮケーブルである集合住宅幹線Ｌ１０２によって複数（２〜６０台）の居室親機１０３が渡り配線で接続されている。
【００１６】
集合住宅の玄関に設置された集合玄関機１０１は、集合玄関機幹線Ｌ１０３により制御装置１０７に接続されている。
居室親機１０３の電源は、制御装置１０７から集合住宅幹線Ｌ１０２を介して供給されているが、集合住宅幹線Ｌ１０２はＬＡＮケーブルであるため、大電流を流すと線路抵抗により電圧降下が発生するため、集合玄関機１０１は電圧降下の影響の少ない小電流を待受け時に流し、居室親機１０３は当該小電流を蓄電するためのスーパーキャパシタ１０３１を備えている。
【００１７】
また、居室親機１０３には呼出時に点滅して近隣の居住者等に呼出を通知する表示灯１０３３と、スーパーキャパシタ１０３１への蓄電を補助する太陽電池１０３４と、居室親機１０３の各部を制御する制御部１０３２を備えている。
このような集合住宅用インターホンシステムで、以下、動作を説明する。
待受時には、集合玄関機１０１から集合住宅幹線Ｌ１０２を経由して受電する電流、及び太陽電池１０３４からの電流により、スーパーキャパシタ１０３１へ蓄電を行なう。
集合住宅への来訪者が居室親機１０３を呼び出す時、集合玄関機１０１を操作する。制御装置１０７は集合玄関機幹線Ｌ１０３を介して集合玄関機１０１からの呼出信号を受信する。
【００１８】
制御装置１０７は呼出信号を受信すると、居室親機１０３に呼出信号を送出するとともに、表示灯１０３３を点滅させるよう指示する。居室親機１０３の制御部１０３２は、制御装置１０７及び太陽電池１０３４からの電流だけでは表示灯を点滅できるだけの電流が確保できないため、当該点滅指示に対して表示灯１０３３を点滅させるための電流をスーパーキャパシタ１０３１から放電させて表示灯１０３３に供給する。
また、呼出に居住者が応答せず、表示灯１０３３が長時間点滅を行なうことによってスーパーキャパシタ１０３１の電圧が第１の閾値を下まわって低下した場合には、制御部１０３２は、近隣の他の居室親機１０３に対して電圧低下通知を行なう。
近隣の居室親機１０３の制御部１０３２は、当該電圧低下通知に基づき自己のスーパーキャパシタ１０３１を放電させて電圧が低下した居室親機１０３に供給する。
【００１９】
また、さらに表示灯１０３３が長時間点滅を行なうことによってスーパーキャパシタ１０３１の電圧が第２の閾値を下まわって低下した場合には、制御部１０３２は、点滅している表示灯１０３３の点灯時間を短く、消灯時間を長くして消費電力を低減させることにより、電圧降下を緩やかにするとともに、居住者に電圧降下を通知することができる。
また、さらに表示灯１０３３が長時間点滅を行なうことによってスーパーキャパシタ１０３１の電圧が一定時間にわたり第３の閾値を下まわって低下した場合には、制御部１０３２は、制御装置１０７に対して電流を供給するよう要求信号を送出する。要求信号を受信した制御装置１０７は、居室親機１０３に対して直接駆動電流の供給を行なう。この際には集合住宅幹線Ｌ１０２に大電流が流れ、大幅な電力損失が発生するが、居室親機１０３の動作を保証することができ、信頼性を向上させることができる。
【産業上の利用可能性】
【００２０】
なお、第１、第２の実施例では第１の閾値電圧が第２の閾値電圧よりも高く、点滅方法の変更前に近隣の機器のスーパーキャパシタから電流を融通していたが、この逆に、第１の閾値電圧が第２の閾値電圧よりも低く、点滅方法の変更を行なってもさらに電圧が低下した際に近隣の機器のスーパーキャパシタから電流を融通することも好適である。
また、本発明では制御装置７、１０７が単体として備えられていたが、ナースコール親機１、集合玄関機１０１に内蔵されていても同一の効果を奏する。
さらに、本発明ではナースコール親機、集合玄関機が１台となっているが、複数のナースコール親機、集合玄関機があってももちろん良い。
【図面の簡単な説明】
【００２１】
【図１】本発明の第１の実施例によるナースコール用インターホンシステムを示す外観図である。
【図２】本発明の第２の実施例による集合住宅用インターホンシステムを示す外観図である。
【符号の説明】
【００２２】
１・・・              ナースコール親機
２・・・              ベッド子機
３・・・              廊下灯
７・・・              制御装置
３１・・・           大容量蓄電部
３２・・・           制御部
３３・・・           表示部
３４・・・           充電装置
１０１・・・       集合玄関機
１０３・・・       居室親機
１０７・・・       制御装置
１０３１・・・    大容量蓄電部
１０３２・・・    制御部
１０３３・・・    表示部
１０３４・・・    充電装置
【図１】
2011029968.tif 000003
【図２】
2011029968.tif 000004